(57)【要約】【課題】筒状又は袋状網体の編成において、補強糸を導糸する地筬の枚数を半減させても、網構造を、結節部及び脚部からなる通常の網体に比べ、機能及び強度において遜色のないものにできる編成方法を提供することを目的とする。【解決手段】経編による筒状又は袋状網体を編成する方法において、前後部の補強糸用筬に通糸する補強糸の糸ガイド密度を、編機ゲージに対応する編針密度の略２倍とし、同一列の補強糸用筬に通糸する各補強糸２本ずつを一組として編成する際に、編方向において連続する一対の結節部のうち、少なくとも一つの結節部においては、一組の補強糸を結束した状態でまとめて編成し、脚部においては、各１本ずつ個別に隣接ウエールに絡みつかせ隣り合う脚部の一部となすように編成することで、一列の地筬の動きで二列分の地筬による補強糸の作用ができる結果、補強糸用筬の枚数を半減することができる。【選択図】  図３
2005008999.tif 000002
【特許請求の範囲】
【請求項１】
編目形成糸、補強糸及び連結糸用の各編筬を備えたダブルニードル列経編機により、脚部及び結節部を含む、前部網部分、後部網部分及び前後網の接結部分よりなる経編による筒状網体を編成する方法において、前部及び後部に設けた補強糸用筬に通糸してなる補強糸の糸ガイド密度を、編機ゲージに対応する編針密度の略２倍とし、同一列の補強糸用筬に通糸してなる各補強糸２本ずつを一組として編成する際に、編方向において連続する一対の結節部のうち、少なくとも一つの結節部においては、一組の補強糸を結束した状態でまとめて編成し、脚部においては、各１本ずつ個別に隣接ウエールに絡みつかせ隣り合う脚部の一部となすように編成して、各々前部網部分及び後部網部分を構成するとともに、前記前部網部分及び後部網部分の結節部が互いに千鳥状に配置されるように前記前後の糸ガイドによる結節組織の構成位置をずらして編成することを特徴とする経編による筒状網体の編成方法。
【請求項２】
脚部を構成するウエールの編コース数が、筒状網の編方向における一方端部から他方端部において増大又は減少するように編成し、編成後編コースの増大側において、筒径が拡大するようにしたことを特徴とする請求項１に記載の経編による筒状網体の編成方法。
【請求項３】
請求項１に記載の筒状網体に連結編成し、編目形成糸で前部網部分と後部網部分を編綴じて閉口部を編成することで、筒状網部と閉口部よりなる袋状網体を構成することを特徴とする経編による袋状網体の編成方法。
【請求項４】
補強糸用筬の糸ガイドを圧電素子により制御して編成することを特徴とする請求項１〜請求項３のいずれか１つの項に記載の編成方法。
【発明の詳細な説明】
【０００１】
【産業上の利用分野】
本発明は、経編による筒状又は袋状網体の編成方法に関し、特にバスケットゴールネットや、土木工事における地固めや補強に使用される袋の用途に供せられる網体の編成方法に関する。
【０００２】
【従来の技術】
従来、バスケットゴールネットや、土木工事に使用される袋の一形態として、経編機により編成される筒状や、袋状の編成体を用い、これを前記用途などの製品として加工されたものが採用されている。本出願人も実用新案登録第３０９４４７０号において結節部及び脚部よりなる主体部分を含む前記用途等に供する筒状網体を提案している。
【０００３】
【発明が解決しようとする課題】
前記従来の筒状又は袋状編成体の主体部を編成するには、編目形成糸を導糸する編筬を前後各２枚ずつと、補強糸を導糸する編筬を前後各２枚ずつの合計８枚の編筬を使用しているが、補強糸は編目形成糸により形成される基布ウエールに対し、編組織の構成上どうしても１本を絡みつかせる構造でしか挿入されないので、編成される脚部に関しては、脚部を構成する各ウエールに対する補強糸のバランスが悪く、網全体における形態安定性が十分でないことは否めなかった。
【０００４】
又、前記脚部を構成するウエールに対し、補強糸を互いに反対方向より挿入して形態安定性を改善すべく二種類の補強糸を設けるために、補強糸用筬を前後２枚ずつ増やして合計１３枚とする場合も、編機構成上及び編成上において、編効率や操作性に問題がないわけではなく、このことが実用化を妨げていた。
【０００５】
本発明は、上記問題点を解決し、補強糸を導糸する補強糸用筬の枚数を、通常、網体の編成に必要な補強糸用筬枚数の半分に減少させても、実際に補強糸が基布ウエールに作用して構成される編構造については、従来編成される通常の網体に比べ、機能及び強度において遜色のない網体を構成することができる編成方法を提供せんとするものである。
【０００６】
又、本編成方法において、バスケットゴールネットや、土木工事用袋の製造に好適な編成方法を提供するものである。
【０００７】
【課題を解決するための手段】
本発明は、編目形成糸、補強糸及び連結糸用の各編筬を備えたダブルニードル列経編機により、脚部及び結節部を含む、前部網部分、後部網部分及び前後網の接結部分よりなる経編による筒状網体を編成する方法において、前部及び後部に設けた補強糸用筬に通糸してなる補強糸の糸ガイド密度を、編機ゲージに対応する編針密度の略２倍とし、同一列の補強糸用筬に通糸してなる各補強糸２本ずつを一組として編成する際に、編方向において連続する一対の結節部のうち、少なくとも一つの結節部においては、一組の補強糸を結束した状態でまとめて編成し、脚部においては、各１本ずつ個別に隣接ウエールに絡みつかせ隣り合う脚部の一部となすように編成して、各々前部網部分及び後部網部分を構成するとともに、前記前部網部分及び後部網部分の結節部が互いに千鳥状に配置されるように前記前後の糸ガイドによる結節組織の構成位置をずらして編成することで、前後網を構成する各基布ウエールに対して、補強のための補強糸を導糸する編筬の枚数を半減しても、編成される網体の外観及び強度などについては従来の網体と同等のものが製造できる。
【０００８】
【発明の実施の形態】
脚部を構成するウエールの編コース数が、筒状網の編方向における一方端部から他方端部において増大又は減少するように編成し、編成後編コースの増大側において、筒径が拡大するようにすることで、バスケットゴールネットとしての必要な形態を得ることができる筒状網体を効率的に編成できる。
【０００９】
請求項１に記載の筒状網体に連結編成し、編目形成糸で前部網部分と後部網部分を編綴じて閉口部を編成することで、筒状網部と閉口部よりなる土木工事用袋として好適な袋状網体を構成することができる。
【００１０】
補強糸用筬の糸ガイドを圧電素子により制御して編成することで、補強糸のウエールに対する作用位置を編コース毎に選択できるので、補強糸の結節部での構造を改善できる。
【００１１】
【実施例】
以下、本発明を図面に基づいて説明する。図１は、本発明の編成方法を実施するにあたり使用する複列の編針列を有するダブルニードル列経編機の編成要部の概略側面図である。ＧＢ１〜ＧＢ９は編糸導糸用の地筬であって、地筬ＧＢ３及び地筬ＧＢ４と、地筬ＧＢ６及び地筬ＧＢ７の糸ガイド密度は前部の編針ＦＮと、後部の編針ＢＮの編機ゲージに対する編針密度と同じに設定している。
【００１２】
そして、地筬ＧＢ３には編目形成糸３を、地筬ＧＢ４には編目形成糸４を各々編針（ＦＮ、ＢＮ）の設置間隔に対し１イン１アウトに設定した各糸ガイドに通糸する。又、地筬ＧＢ６には編目形成糸６を、地筬ＧＢ７には編目形成糸７を各々編針（ＦＮ、ＢＮ）の設置間隔に対し１イン１アウトに設定した各糸ガイドに通糸する。
【００１３】
更に、地筬ＧＢ１及び地筬ＧＢ２の糸ガイド密度は、編機ゲージに対応する編針（ＦＮ、ＢＮ）密度の２倍に設定し、地筬ＧＢ１には補強糸１を、地筬ＧＢ２には補強糸２を各々編針（ＦＮ、ＢＮ）の設置間隔に対し２イン２アウトに設定した糸ガイドに通糸する。又、地筬ＧＢ８及び地筬ＧＢ９の糸ガイド密度も、編機ゲージに対応する編針（ＦＮ、ＢＮ）密度の２倍に設定し、地筬ＧＢ８には補強糸８を、地筬ＧＢ９には補強糸９を各々編針（ＦＮ、ＢＮ）の設置間隔に対し２イン２アウトに設定した糸ガイドに通糸する。実施例の場合、編機ゲージが７Ｅ（ゲージ）のものを使用した。即ち、１インチあたり編針（ＦＮ、ＢＮ）の設置本数は７本である。
【００１４】
ＧＢ５は上記各編筬より導糸される編目形成糸及び補強糸により編成される前部網及び後部網を、各々の左右端部ウエールにて連結編成するための連結糸５を導糸する連結糸用筬であり、この連結糸用筬ＧＢ５から導糸される連結糸５が、前後網体の左右端部において各１本宛、糸ガイドに配される。
【００１５】
なお、図１中で括弧内に示される地筬の符号は、別実施例で使用する各糸ガイドが圧電素子によって制御する場合の経編機における地筬の位置を示している。
【００１６】
次に、本発明の筒状網の編成方法について、図２に示すバスケットゴールネットを編成するための編組織図の一実施例に基づいて説明する。図中、下半分に示すのは、上部の編組織図に対応して、各地筬（ＧＢ１〜ＧＢ９）のスタートの編コースにおける糸ガイドの位置、即ち各編糸の糸入れ位置を示したものである。ＦＮは、前部編針の編コース、ＢＮは後部編針の編コースをそれぞれ示している。又、右側の各区画毎に矢印で示すＡ，Ｂ，Ｃ，Ｄは、ブロック毎の編組織を示す。編組織Ａ，Ｃは、結節部の編成ブロックを示し、編組織Ｂ，Ｄは脚部の編成ブロックを示している。実際編成する場合は、各ブロックの編コースを次の繰り返しで行う。
Ａ×２／Ｂ×１１／Ｃ×１／Ｄ×３／Ａ×１／Ｄ×２／Ｃ×１／Ｄ×２／Ａ×１／Ｄ×２／Ｃ×１／Ｄ×２／Ａ×１／Ｄ×２／Ｃ×１／Ｄ×２／／
【００１７】
実施例の編成に使用したダブルニードル列経編機のゲージは４．５Ｅ（ゲージ）であり、２インチ間に編針（ＦＮ，ＢＮ）が９本宛配列されている。この実施例編組織のチェーン番号一覧表を次に示す。
【００１８】
【表１】
2005008999.tif 000003
表中、補強糸用筬ＧＢ１，ＧＢ２，ＧＢ８，ＧＢ９の各筬は、糸ガイド密度を編機ゲージに対応する編針密度の２倍に設定しているので、チェーン番号は、９ゲージの編針密度として設定し、チェーン番号を０．１．２．３．．．の読みで示しており、編目形成糸用筬ＧＢ３，ＧＢ４，ＧＢ６，ＧＢ７及び、連結糸用筬ＧＢ５については、糸ガイド密度を編機ゲージ密度と同じとしているので、４．５ゲージの編針密度とし、糸ガイドは、各編針（ＦＮ，ＢＮ）の間隙中央間を変位させるようにしたので、チェーン番号を０．２．４．６．．．の読みで示している。
【００１９】
図２中、１−１，１−２は、補強糸用筬ＧＢ１の各糸ガイドに２イン２アウトで通糸してなる一組の補強糸であり、２−１，２−２は、補強糸用筬ＧＢ２の各糸ガイドに２イン２アウトで通糸してなる別の一組の補強糸であり、各補強糸１−１，１−２，２−１，２−２は、編目形成糸用筬ＧＢ３，ＧＢ４の糸ガイドより導糸される編目形成糸３，４による結節部及び脚部を構成するための基布ウエールに対し挿入編成又は、編目形成され前部網の主体部を構成する。又、８−１，８−２は、補強糸用筬ＧＢ８の各糸ガイドに２イン２アウトで通糸してなる一組の補強糸であり、９−１，９−２は、補強糸用筬ＧＢ９の各糸ガイドに２イン２アウトで通糸してなる別の一組の補強糸であり、各補強糸８−１，８−２，９−１，９−２は、編目形成糸用筬ＧＢ６，ＧＢ７の糸ガイドより導糸される編目形成糸６，７による結節部及び脚部を構成するための基布ウエールに対し挿入編成又は、編目形成され後部網の主体部を構成する。図においては、便宜上各編筬における各補強糸一組のラッピングしか示していないが、実際は前述の通り、各組の糸が、編幅方向で糸ガイドに繰り返し通糸されているので、編幅全体に編成され、前部網及び後部網からなる主体部が編成される。
【００２０】
５−１，５−２は、連結糸用筬ＧＢ５の糸ガイドから導糸される連結糸であり、前部網と後部編が連結されて一体の筒状網となっているものにおいて、その一方端部に補強糸５−１を１本、他方端部に補強糸５−２を１本それぞれ配設して、前記前部網と後部網の端部ウエールを前後に編綴じるのである。
【００２１】
図３は、補強糸用筬ＧＢ１，ＧＢ２，ＧＢ８，ＧＢ９各々の糸ガイドに通糸された各補強糸１−１，１−２，２−１，２−２，８−１，８−２，９−１，９−２が実際に基布ウエールに作用する状態を示している。
【００２２】
前部網の基布ウエールを構成する編目形成糸３，４に対し、結節部を構成する編組織Ａブロックにおいては、補強糸１−１，１−２が結束部分Ｋ−Ａを形成し、補強糸２−１，２−２は各々隣接ウエールに沿って挿入編成され絡み合った状態となる。
【００２３】
脚部を構成する編組織Ｂブロックにおいては、補強糸１−１，１−２が各々隣接ウエールに沿って挿入編成され絡み合った状態となり、補強糸２−１，２−２は、隣接ウエールに沿って編目形成糸３，４とともに編目形成される。この編コースによる脚部分Ｆ−Ｂは、脚部の剛性を高めることで後述するバスケットゴールネットにおけるボールが通過した後にネットが跳ね上がるのを防止するために重要な役割を果たす。
【００２４】
結節部を構成する編組織Ｃブロックにおいては、補強糸１−１，１−２が隣接ウエールに沿って挿入編成されるとともに、補強糸２−１，２−２が結束部分Ｋ−Ｃを形成する。
【００２５】
脚部を構成する編組織Ｄブロックにおいては、補強糸１−１，１−２と補強糸２−１，２−２が、互いに逆方向より基布ウエールに対して挿入編成されて脚部分Ｆ−Ｄが形成される。
【００２６】
次に、後部網の基布ウエールを構成する編目形成糸６，７に対し、結節部を構成する編組織Ａブロックにおいては、補強糸９−１，９−２が結束部分Ｋ−Ａを形成し、補強糸８−１，８−２は各々隣接ウエールに沿って挿入編成され絡み合った状態となる。
【００２７】
脚部を構成する編組織Ｂブロックにおいては、補強糸９−１，９−２が各々隣接ウエールに沿って挿入編成され絡み合った状態となり、補強糸８−１，８−２は、隣接ウエールに沿って編目形成糸６，７とともに編目形成される。この理由は、前述の前部網における同箇所の形成と同じであるのでここではその説明を省略する。
【００２８】
結節部を構成する編組織Ｃブロックにおいては、補強糸９−１，９−２が隣接ウエールに沿って挿入編成されるとともに、補強糸８−１，８−２が結束部分Ｋ−Ｃを形成する。
【００２９】
脚部を構成する編組織Ｄブロックにおいては、補強糸８−１，８−２と補強糸９−１，９−２が、互いに逆方向より基布ウエールに対し挿入編成されて脚部分Ｆ−Ｄが形成される。
【００３０】
図２に示す編組織図に基づき編成される一実施例のバスケットゴールネットについて図４及び図５を用いて説明する。図４は、編成時における同ネットの外観図であり、図５は、編成後一単位の同ネットをカットして展開したものを示す外観図である。図４及び図５は、実際にゴールネットとして使用される方向に上下を示したものであり、今回の編成方法に用いられる編組織の編成方向とは逆となっている。
【００３１】
図４において、○は、前部網における結節部ＫＦを、●は後部網における結節部ＫＢを各々示しており、各結節部ＫＦ，ＫＢ同士は、各々脚部ＦＦ，ＦＢと連結されて前部網部分と後部網部分からなる網体主体部を構成してなる。ここで、結節部ＫＦと結節部ＫＢを互いに千鳥状となるように配設するようにして、各地筬の前後糸ガイドより、導糸する結節部の編組織の構成位置をずらして、編成することで、前部網部分と後部網部分の接結部分において、連結糸にて、前記前後網のウエールを編綴じることができるようになった結果、接結部分においても網の菱目の構成がくずれることなく、筒状網体として一様な構造物の製造が可能となり、本実施例のバスケットゴールネットにおいても、接ぎ目が目立たないネット構成が得られるのである。
【００３２】
以上の編成の結果得られた図４に示す筒状網体については、前述の通り脚部Ｆ（ＦＦ、ＦＢ）を構成するウエールの編コース数を、編方向における一方端部から、他方端部において、１１→３→２と減少するように編成しているので、編コースを１１回繰り返してなる増大側において、図５に示すように口径がラッパ状に拡大される構造となり、バスケットゴールネットの形状として好適なものが得られる。
【００３３】
図６は、前記バスケットゴールネット等を構成するための基本的な筒状編の編成方法を応用して、編目形成糸で前部網部分と後部網部分を編綴じて形成してなる土木工事用袋の斜視図である。図中Ｐは、前部網部分ＦＭと後部網部分ＲＭ、及び前部網部分ＦＭと後部網部分ＲＭを連結糸により編綴じてなる接結部分ＣＰ１，ＣＰ２とよりなる筒状網体であり、Ｓはこの筒状網体に連結編成してなる閉口部であって、前後網部分ＦＭを構成する編目形成糸と、後部網部分ＲＭを構成する編目形成糸が前部の編針と後部の編針の両方に編目形成することにより、前部網部分ＦＭと後部網部分ＲＭが編方向で所定の編コースの長さにおいて接結編成されて形成される。もちろん網体のサイズについては、用途によって縦横の長さ、菱目のサイズ、閉口部のサイズ等自由に設定可能である。
【００３４】
上述の実施例においては、９枚の地筬ＧＢ１〜ＧＢ９は通常の地筬、即ちそれらの糸ガイドは、モータ等による地筬への編針列方向へのラッピング運動による同時、同方向、同変位量の運動によるものであったが、これに換えて、図１の括弧内に示す符号のように、補強糸用筬ＧＢ１，ＧＢ２，ＧＢ８，ＧＢ９に換えて、糸ガイドが圧電素子により制御される地筬ＰＪＢ１，ＰＪＢ２，ＰＪＢ８，ＰＪＢ９を用いて編成する場合、圧電素子による変位手段によって、１編コース間で糸ガイドの編針に対する作用位置を左又は右に、１針間隔の寸法について自由に選択可能となるので、図３に示す結節部Ｋ−Ａ，Ｋ−Ｃのすべてにおいて、糸ガイドにより導糸される各一組の補強糸１−１，１−２、補強糸２−１，２−２、補強糸８−１，８−２、補強糸９−１，９−２は結束した状態でまとめて編成することが可能となる結果、補強糸４種のすべての結節部において、各二組の補強糸が交差した状態で絡んでなる構造となり、よりバランスのとれた結節部が構成できる。
【００３５】
本発明の編成においては、編成時の使用糸の特定や、網地の密度特に打ち込み密度の変化度合、結節部における編コース数、目付、網目の大きさなどは特に限定しないが、当然、用途に応じて周知の糸種や設定される編地条件に見合う特定の数値が選択されるべきで、これらの各種条件については、本発明の特許請求範囲に逸脱しない範囲において種々の実施例の編組織による筒状網体あるいは袋状網体の編成への適用が可能であることはいうまでもない。
【００３６】
【発明の効果】
本発明の編成方法によれば、前部網用の補強糸の地筬枚数及び後部網用の補強糸の地筬枚数を、通常必要とされる地筬枚数に比べ半減させても、機能及び強度において遜色のない筒状網体を編成できる。
【００３７】
脚部の編コース数を筒状網体の編方向において、増大又は減少するように編コース数を調整して編成することで、バスケットゴールネットの形状に適した筒状網体が容易に得られる。
【００３８】
筒状網体の一部において、網体を構成する編目形成糸を前後部の編針に作用させて編綴じ、閉口部を作ることで、土木工事用袋の形状に適した袋状網体が容易に得られる。
【００３９】
補強糸を導糸する地筬を、圧電素子により制御可能な糸ガイドを備えたものとし、編成を行うことで、結節部における補強糸の編針への作用位置が選択されて補強糸相互の絡み構造が改善でき、バランスのとれた結節部が得られる。
【図面の簡単な説明】
【図１】本発明の編成方法を実施するにあたり使用する複列の編針列を有するダブルニードル列経編機の編成要部の概略側面図である。
【図２】バスケットゴールネットを編成するための編組織の一実施例である。
【図３】実際の補強糸の走り状態を示す一実施例編組織図である。
【図４】一実施例バスケットゴールネットの編成時の生地状態を示す平面図である。
【図５】一実施例バスケットゴールネットの編上がり後、実際の使用状態にした場合の平面図である。
【図６】土木工事用袋の実施例を示す斜視図である。
【符号の説明】
１，２，８，９…補強糸
３，４，６，７…編目形成糸
５…連結糸
ＧＢ１，ＧＢ２，ＧＢ８，ＧＢ９…補強糸用筬
ＧＢ３，ＧＢ４，ＧＢ６，ＧＢ７…編目形成糸用筬
ＧＢ５…連結糸用筬
ＰＪＢ１，ＰＪＢ２，ＰＪＢ８，ＰＪＢ９…圧電素子により制御される糸ガイドを備えた補強糸用筬
ＦＮ  …前部の編針
ＢＮ…後部の編針
Ａ，Ｂ，Ｃ，Ｄ…編組織の一ブロック
ＫＦ  …前部結節部
ＫＢ…後部結節部
ＦＦ…前部脚部
ＦＢ…後部脚部
Ｐ…筒状網体
ＦＭ…前部網部分
ＲＭ…後部脚部分
ＣＰ１，ＣＰ２…接結部分
Ｓ…閉口部
【図１】
2005008999.tif 000004
【図２】
2005008999.tif 000005
【図３】
2005008999.tif 000006
【図４】
2005008999.tif 000007
【図５】
2005008999.tif 000008
【図６】
2005008999.tif 000009